(57)【要約】【課題】磁界変調ヘッドのセンターポール部分に発生する磁界強度の先端の中央部分の落ち込み（谷相当部分）を改善する。【解決手段】磁界変調ヘッド１のコア２におけるセンターポール３の先端３ａの外周部分３ｂにテーパー５等の面取り部６を形成することにより、その先端３ａの中央部分３ａ′を外周部分３ｂより光磁気ディスク２３側へ突出させて、そのセンターポール３の先端３ａ部分に発生する磁界強度ＭＳの先端の中央部分における落ち込み（谷相当部分）を改善する。【選択図】図１
2005243153.tif 000002
【特許請求の範囲】
【請求項１】
外周にコイルが巻回されるセンターポールの先端の中央部分が該先端の外周部分より記録媒体側へ突出されている
ことを特徴とする磁界変調ヘッド。
【請求項２】
前記センターポールの先端の外周部分にテーパーやアール等の面取り部を形成することにより、該センターポールの先端の外周部分から該先端の中央部分にかけてほぼ台形状に形成した
ことを特徴とする請求項１に記載の磁界変調ヘッド。
【請求項３】
前記センターポールの先端の外周部分にほぼ階段状の切欠きを形成することにより、該センターポールの先端の中央部分を該先端の外周部分からほぼ凸形に突出させた
ことを特徴とする請求項１に記載の磁界変調ヘッド。
【請求項４】
前記センターポールの先端の外周部分から該先端の中央部分にかけて全体をほぼ円弧状に形成した
ことを特徴とする請求項１に記載の磁界変調ヘッド。
【請求項５】
磁界変調ヘッドと対物レンズが対向されて配置される光磁気ヘッド装置において、
前記磁界変調ヘッドのコイルが外周に巻回されたセンターポールの先端の中央部分が該先端の外周部分より前記対物レンズ側へ突出されている
ことを特徴とする光磁気ヘッド装置。
【請求項６】
磁界変調ヘッドと対物レンズが光磁気記録媒体を挟んで対向されて配置される光磁気記録再生装置において、
前記磁界変調ヘッドのコイルが外周に巻回されたセンターポールの先端の中央部分が該先端の外周部分より前記対物レンズ側へ突出されている
ことを特徴とする光磁気記録再生装置。
【発明の詳細な説明】
【技術分野】
【０００１】
本発明は、ＭＯ、ＤＶＤ等の光磁気記録媒体である光磁気ディスクにデータを記録（オーバーライト）する際に使用される磁界変調ヘッドと、その磁界変調ヘッドと対となる光ビーム収束用の対物レンズが使用される光磁気ヘッド装置と、その光磁気ヘッド装置が組み込まれた光磁気記録再生装置（光磁気ディスクドライブ装置）に関するものである。
【背景技術】
【０００２】
図１０及び図１１に示すように、従来から、光磁気記録再生装置に使用されているＥ型形状のコアを用いた磁界変調ヘッド４１は、コア４２のセンターポール４３が角柱形状に構成されていて、そのセンターポール４３の外周にコイル４４が巻回されている。そして、センターポール４３の先端４３ａがフラットに形成され、その先端４３ａの外周部分４３ｂの四辺はシャープエッジに形成されていた（例えば、特許文献１）。
【０００３】
そして、このような形状の従来の磁界変調ヘッド４１においては、図１０の（Ａ）（Ｂ）に示す磁界強度分布曲線に見られるように、コイル４４への通電によってセンターポール４３の先端４３ａ部分に発生する磁界強度ＭＳは、外周部分４３ｂに相当する先端の外周部分に盛り上り（山相当部分）ＭＳ１が発生する一方、先端４３ａの中央部分４３ａ′に相当する先端の中央部分には落ち込み（谷相当部分）ＭＳ２が発生（一般的にエッジ効果と称されている。）してしまう。
【０００４】
一方、光磁気ディスクの記録時において、磁性層の磁極を反転させるための有効磁界は、その光磁気ディスクに最も接近されるセンターポール４３の先端４３ａの中央部分４３
ａ′であることから、先端４３ａの中央部分４３ａ′に発生する磁界強度ＭＳの落ち込み
ＭＳ２は、磁界強度ＭＳの効率化が損われてしまうことから大きなマイナス要因となっていた。
【特許文献１】実開平７−４１７０１号公報
【発明の開示】
【発明が解決しようとする課題】
【０００５】
解決しようとする問題点は、磁界変調ヘッドのセンターポール部分に発生する磁界強度の先端の中央部分における落ち込み（谷相当部分）を改善する点である。
【課題を解決するための手段】
【０００６】
本発明の磁界変調ヘッドは、外周にコイルが巻回されるセンターポールの先端の中央部分が該先端の外周部分より記録媒体側へ突出されていることを主要な特徴とする。
【発明の効果】
【０００７】
本発明の磁界変調ヘッドは、センターポールの先端の中央部分を、この先端の外周部分より記録媒体側へ突出させたので、センターポール部分に発生する磁界強度の先端の中央部分での落ち込みを改善することができて、センターポールの先端の中央部分における磁界強度を記録媒体に近づけることができる。従って、記録媒体へデータを記録する際に、磁界変調ヘッドの磁界強度の高効率化を実現できる。
【発明を実施するための最良の形態】
【０００８】
センターポールの先端の外周部分にテーパーやアール等の面取り部を形成して、該センターポールの先端の外周部分から該先端の中央部分にかけてほぼ台形状に形成することにより、センターポールの先端の中央部分をこの先端の外周部分より記録媒体側へ突出させた。
【０００９】
センターポールの先端の外周部分にほぼ階段状の切欠きを形成して、該センターポールの先端の中央部分を該先端の外周部分からほぼ凸形に突出させることにより、センターポールの先端の中央部分をこの先端の外周部分より記録媒体側へ突出させた。
【００１０】
センターポールの先端の外周部分から該先端の中央部分にかけて全体をほぼ円弧状に形成することにより、センターポールの先端の中央部分をこの先端の外周部分より記録媒体側へ突出させた。
【実施例１】
【００１１】
［光磁気記録再生装置の概要説明］
初めに、図９によって、本発明の光磁気ヘッド装置が搭載された光磁気録再生装置の実施例を説明する。
この光磁気ヘッド装置２１を備えた光磁気記録再生装置（光磁気ディスクドライブ装置）２２は、記録媒体であるＭＯ、ＤＶＤ等の光磁気ディスク２３にデータを記録、再生するものであって、光磁気ディスク２３はスピンドルモータ２４のターンテーブル２５上にチャッキングされて、そのスピンドルモータ２４によって回転駆動されるように構成されている。
【００１２】
そして、光磁気ヘッド装置２１は、光磁気ディスク２３の下部に配置された光ピックアップ２６と、光磁気ディスク２３の上部に配置された磁界変調ヘッド１とを備えている。光ピックアップ２６は移送手段であるスレッド２７に搭載されいて、上向きの対物レンズ２８によって光ビーム（レーザービーム）ＬＢを光磁気ディスク２３の磁性層２３ａに下方から収束する。そして、スレッド２７は図示省略されたスレッド移送機構によって光磁気ディスク２３の半径方向（矢印ａ方向）へ移送されるように構成されている。
【００１３】
一方、スレッド２７に搭載されて、このスレッド２７と一体に光磁気ディスク２３の半径方向（矢印ａ方向）へ移動される支持手段２９が光磁気ディスク２３の上方へ迂回されていて、その支持手段２９の上部先端に接続された板バネ等のサスペンション２９ａによ浮上用ヘッドスライダ３０が光磁気ディスク２３の上部に配置されている。そして、磁界変調ヘッド１が浮上用ヘッドスライダ３０に垂直上の下向きに埋設されて、対物レンズ２８の真上位置に配置されている。
【００１４】
そして、スピンドルモータ２４によって光磁気ディスク２３を回転駆動し、その光磁気ディスク２３の表面に発生するエアフイルムによって浮上用ヘッドスライダ３０をサスペンション２９ａに抗して光磁気ディスク２３の上方へ僅かに浮上させる。この状態で、スレッド２７によって光ピックアップ２６と磁界変調ヘッド１を一体に光磁気ディスク２３の半径方向（矢印ａ方向）へ移送しながら、磁界変調ヘッド１の後述するコイル４への通電によって光磁気ディスク２３の磁性層２３ａの磁極を反転させつつ、光ピックアップ２６の対物レンズ２８によって光ビームＬＢをその磁性層２３ａへ収束させることによって、光磁気ディスク２３に情報の記録、再生を行うように構成されている。
【００１５】
［磁界変調ヘッドの実施例１］
次に、図１及び図２によって、本発明の磁界変調ヘッド１の実施例１を説明する。なお、図１及び図２では、磁界変調ヘッド１と光磁気ディスク２３の上下位相を反転して示している。
この磁界変調ヘッド１は、Ｅ型形状のコア２のセンターポール３が角柱状に構成されていて、そのセンターポール３の外周にコイル４が巻回されている。そして、センターポール３の先端３ａはフラットに形成され、その先端３ａの外周部分３ｂの四辺はテーパー５による面取り部６が形成されて、この外周部分３ｂから先端３ａにかけてほぼ台形状に形成されている。
【００１６】
これにより、センターポール３の先端３ａの中央部分３ａ′が外周部分３ｂより前述した光磁気ディスク２３側へ突出された形状に構成されている。
この結果、図１の（Ａ）（Ｂ）に示している磁界強度分布曲線に見られるように、コイル４への通電によってセンターポール３の先端３ａ部分に発生する磁界強度ＭＳは、先端３ａの中央部分３ａ′に相当する先端の中央部分における落ち込み（谷相当部分）ＭＳ２′が、図１の（Ａ）（Ｂ）に点線で示した従来の磁界強度ＭＳの落ち込みＭＳ２に比べて大幅に改善（落ち込み量が小さくなっている）されて、その落ち込みＭＳ２′と、先端３ａの外周部分３ｂに相当する先端の外周部分の盛り上り（山相当部分）ＭＳ１との差が著しく減少された。
【００１７】
づけることができるので、その光磁気ディスク２３にデータを記録（オーバーライト）する際に、コイル４への通電によって磁性層２３ａの磁極を効率良く反転することができて、磁界変調ヘッド１の磁界強度ＭＳの高効率化を実現できる。
【実施例２】
【００１８】
［磁界変調ヘッドの実施例２］
次に、図３及び図４によって、本発明の磁界変調ヘッド１の実施例２を説明する。
この磁界変調ヘッド１は、コア２のセンターポール３の先端３ａはフラットに形成され、先端３ａの外周部分３ｂの四辺はアール（Ｒ）８による面取り部６が形成されて、この外周部分３ｂから先端３ａにかけてほぼ台形状に形成されている。
そして、この実施例２においても前述した磁界変調ヘッド１の実施例１と同等の効果を奏することができる。
【実施例３】
【００１９】
［磁界変調ヘッドの実施例３］
次に、図５及び図６によって、本発明の磁界変調ヘッド１の実施例３を説明する。
この磁界変調ヘッド１は、コア２のセンターポール３の先端３ａはフラットに形成され、先端３ａの外周部分３ｂの四辺にほぼ階段状の切欠き１０が形成されて、この外周部分３ｂから先端３ａにかけてほぼ凸形（面取り部６）に形成されている。
そして、この実施例３においても、前述した磁界変調ヘッド１の実施例１と同等の効果を奏することができる。
【実施例４】
【００２０】
［磁界変調ヘッドの実施例４］
次に、図７及び図８によって、本発明の磁界変調ヘッド１の実施例４を説明する。
この磁界変調ヘッド１は、コア２のセンターポール３の先端３ａの外周部分３ｂから先端３ａの中央部分３ａ′にかけて全体がほぼ円弧状の面１２に形成されている。
そして、この実施例４においても、前述した磁界変調ヘッド１の実施例１と同等の効果を奏することができる。
【産業上の利用可能性】
【００２１】
以上、本発明の実施例に付き述べたが、本発明は上記した実施例に限定されることなく、本発明の技術的思想に基づいて各種の変更が可能である。
例えば、上記した実施例では、コア２のセンターポール３として角柱状のものを示したが円柱状のセンターポール３であっても良い。
【図面の簡単な説明】
【００２２】
【図１】本発明の磁界変調ヘッドの実施例１の平面及び垂直断面状態での側面の２面を示すと共に、その２面に対応されたセンターポールの先端部分における磁界強度分布曲線を示した図面である。
【図２】図１のセンターポールの先端部分の斜視図である。
【図３】本発明の磁界変調ヘッドの実施例２の平面及び垂直断面状態での側面の２面を示すと共に、その２面に対応されたセンターポールの先端部分における磁界強度分布曲線を示した図面である。
【図４】図３のセンターポールの先端部分の斜視図である。
【図５】本発明の磁界変調ヘッドの実施例３の平面及び垂直断面状態での側面の２面を示すと共に、その２面に対応されたセンターポールの先端部分における磁界強度分布曲線を示した図面である。
【図６】図５のセンターポールの先端部分の斜視図である。
【図７】本発明の磁界変調ヘッドの実施例４の平面及び垂直断面状態での側面の２面を示すと共に、その２面に対応されたセンターポールの先端部分における磁界強度分布曲線を示した図面である。
【図８】図７のセンターポールの先端部分の斜視図である。
【図９】本発明の光磁気ヘッド装置が搭載された光磁気記録再生装置の概要を説明する側面図である。
【図１０】従来の磁界変調ヘッドの平面及び垂直断面状態での側面の２面を示すと共に、その２面に対応されたセンターポールの先端部分における磁界強度分布曲線を示した図面である。
【図１１】図１０のセンターポールの先端部分の斜視図である。
【符号の説明】
【００２３】
１    磁界変調ヘッド
２    コア
３    センターポール
３ａ  センターポールの先端
３ａ′  センターポールの先端の中央部分
３ｂ  センターポールの先端の外周部分
４    コイル
５    テーパー面
６    面取り部
８    アール（面取り部）
１０  切欠き（面取り部）
１２  円弧状の面
２１  光磁気ヘッド装置
２２  光磁気記録再生装置
２３  光磁気ディスク（記録媒体）
２６  光ピックアップ
２７  スレッド
２８  対物レンズ
３０  浮上用ヘッドスライダ
【図１】
2005243153.tif 000003
【図２】
2005243153.tif 000004
【図３】
2005243153.tif 000005
【図４】
2005243153.tif 000006
【図５】
2005243153.tif 000007
【図６】
2005243153.tif 000008
【図７】
2005243153.tif 000009
【図８】
2005243153.tif 000010
【図９】
2005243153.tif 000011
【図１０】
2005243153.tif 000012
【図１１】
2005243153.tif 000013